(57)【要約】【課題】ビス止め作業の際、作業者の熟練度や作業者の不注意を起因とした光源部の回転方向への位置ずれを抑制して作業性の向上が可能な光走査装置用ハウジングを提供すること。【解決手段】先端面から複数のレーザ光が射出可能な光源体３を回動して、座標軸の一軸方向におけるレーザ光同士間距離の調整をした後に、ビス５を介して光源部が持着される第１の内側壁１ｄと、その第１の内側壁１ｄの外方に所要の間隔をおいて配設され、ビス５と係合させてそのビス５を第１の内側壁１ｄへ係止する工具Ｗをガイドするガイド部１ｕを形成した一対の外側壁１ｍとを備えて光走査装置用ハウジングを形成する。【選択図】図８
2011053450.tif 000002
【特許請求の範囲】
【請求項１】
先端面から複数のレーザ光が射出可能な光源部を前記先端面の周方向に回動させて、座標軸の一軸方向におけるレーザ光同士間距離の調整がされた後に、軸状の締結部材を介して前記光源部が持着される内側壁と、
該内側壁の外方に所要の間隔をおいて配設され、前記締結部材と係合させて該締結部材を前記内側壁へ係止させる工具をガイドするガイド部が形成された外側壁と
を備えたことを特徴とする光走査装置用ハウジング。
【請求項２】
前記光源部は、先端面から複数のレーザ光が射出可能な光源体と該光源体を押止させる留め部材とを備え、
前記内側壁と前記外側壁とが連絡壁を介して接続されると共に、
前記内側壁は、
前記先端面を内方にして前記光源体が外面側から挿入可能に貫通されると共に、前記光源体を掛止可能に形成された挿入穴と、
前記締結部材が係合可能に穿設され、前記挿入穴に挿入された前記光源体を押止させるように配設された前記留め部材が前記締結部材を係合させて取り付けられる取付穴と
を備えたことを特徴とする請求項１に記載の光走査装置用ハウジング。
【請求項３】
前記ガイド部は、前記取付穴の深さ方向の中心線上に形成されていることを特徴とする請求項２に記載の光走査装置用ハウジング。
【請求項４】
前記ガイド部は、切り欠き形成されていることを特徴とする請求項１乃至３の何れか１項に記載の光走査装置用ハウジング。
【請求項５】
前記工具は、前記締結部材に合わせて打動可能または回動可能に構成されると共に、打動または回動する稼動部と、その稼動部を保持する固定部とを備え、
前記ガイド部は、前記稼動部が遊挿可能な所要の大きさで形成されていることを特徴とする請求項１乃至４の何れか１項に記載の光走査装置用ハウジング。
【請求項６】
前記工具は、前記締結部材に合わせて打動可能または回動可能に構成されると共に、打動または回動する稼動部と、その稼動部を保持する固定部とを備え、
前記ガイド部は、前記固定部が遊挿可能な所要の大きさで形成されていることを特徴とする請求項１乃至４の何れか１項に記載の光走査装置用ハウジング。
【請求項７】
前記工具は、前記締結部材に合わせて打動可能または回動可能に構成されると共に、打動または回動する稼動部と、その稼動部を保持する固定部とを備え、
前記ガイド部は、前記稼動部が摺接可能な所要の大きさで形成されていることを特徴とする請求項１乃至４の何れか１項に記載の光走査装置用ハウジング。
【請求項８】
前記工具は、前記締結部材に合わせて打動可能または回動可能に構成されると共に、打動または回動する稼動部と、その稼動部を保持する固定部とを備え、
前記ガイド部は、前記固定部が当接可能な所要の大きさで形成されていることを特徴とする請求項１乃至４の何れか１項に記載の光走査装置用ハウジング。
【請求項９】
前記ガイド部は、前記工具の方向性が定まる程度の厚みで形成されていることを特徴とする請求項７または８に記載の光走査装置用ハウジング。
【請求項１０】
請求項１乃至９の何れか１項に記載の光走査装置用ハウジングと、前記光源部と、前記締結部材とを備えたことを特徴とする光走査装置。
【請求項１１】
請求項１０に記載の光走査装置と、該光走査装置を用いて静電潜像が形成される感光体とを備えたことを特徴とする画像形成装置。
【発明の詳細な説明】
【技術分野】
【０００１】
本発明は、感光体にレーザ光を射出して感光体に静電潜像を形成する光走査装置のハウジング、そのハウジングを備えた光走査装置、その光走査装置を備えた画像形成装置に関する。
【背景技術】
【０００２】
複写機、ファクシミリ、プリンタ等の電子写真方式の画像形成装置は、感光体に静電潜像を形成するために、感光体にレーザ光を射出する光走査装置を備えている。
この光走査装置は、レーザ光を射出させる光源部と、その光源部から射出されたレーザ光を所望の断面形状や発散角に整形させる光学ユニットと、その光学ユニットから出たレーザ光を偏向させる光偏向器と、その光偏向器からのレーザ光の像面を等速移動させる走査レンズと、これらの構成部材を支持させる光走査装置用ハウジングとを備えて構成されているのが一般的である。
【０００３】
上記構成のうち、レーザ光を射出させる光源部は、先端面から複数のレーザ光が射出可能に構成されたマルチチャンネルレーザダイオードを用いて、その複数のレーザ光によって、出力画像の高密度化及び画像出力の高速化を可能にしたものがある。
【０００４】
このように複数のレーザ光が射出可能なマルチチャンネルレーザダイオードは、光走査装置用ハウジングの側壁に取り付けられるが、座標軸の一軸方向（Ｘ軸方向またはＹ軸方向；図７参照）における複数のレーザ光同士間距離（以下「ビームピッチ」という）を、所望の距離にするために、取り付け作業の際、マルチチャンネルレーザダイオードの回転方向の取り付け位置を調整している。
【０００５】
ここで、従来の取り付け手順を例示すると、例えば、レーザホルダやベース部材といった保持部材にマルチチャンネルレーザダイオードを止着し、その保持部材を光走査装置用ハウジングの側壁に仮付けした状態で回転方向の位置を調整し、位置決めが完了してから光走査装置用ハウジングの側壁に保持部材を螺着による本付けをしている（例えば特許文献１、２参照）。なお、ビスによる螺着のほか、スプリングピンやテーパーピン、平行ピンなどの締結ピンによる本付けも可能である。
【発明の概要】
【発明が解決しようとする課題】
【０００６】
しかしながら、上述した従来の取り付け手順でマルチチャンネルレーザダイオードを光走査装置用ハウジングの側壁に取り付けをすると、本付け際、すなわち、工具を用いてビスを締め込む際や締結ピンを挿嵌させる際に、作業者の熟練度や作業者の僅かな不注意によって工具が傾き、その結果、ビスや締結ピンに偏荷重が負荷されて、ビスや締結ピンが倒れたり、ビスが斜めにねじ込まれたりする場合があった。
すると、マルチチャンネルレーザダイオードを止着した保持部材が回転方向へ僅かにずれて、所望のビームピッチから外れた状態でマルチチャンネルレーザダイオードが光走査装置用ハウジングの側壁に取り付けられてしまう。当然のことながら、かかるような場合、ビームピッチの調整から作業のやり直しをしなければならない。
【０００７】
本発明は、このような状況に鑑みてなされたものであり、上記問題点を解決できる光走査装置用ハウジング、光走査装置、画像形成装置を提供することを課題とする。
【課題を解決するための手段】
【０００８】
上記課題を解決するために、本発明にかかる光走査装置用ハウジング、光走査装置、画像形成装置は、下記の技術的手段を講じた。
請求項１にかかる発明は、先端面から複数のレーザ光が射出可能な光源部を前記先端面の周方向に回動させて、座標軸の一軸方向におけるレーザ光同士間距離の調整がされた後に、軸状の締結部材を介して前記光源部が持着される内側壁と、該内側壁の外方に所要の間隔をおいて配設され、前記締結部材と係合させて該締結部材を前記内側壁へ係止させる工具をガイドするガイド部が形成された外側壁とを備えた光走査装置用ハウジングを特徴とする。
請求項２にかかる発明は、請求項１において、前記光源部は、先端面から複数のレーザ光が射出可能な光源体と該光源体を押止させる留め部材とを備え、前記内側壁と前記外側壁とが連絡壁を介して接続されると共に、前記内側壁は、前記先端面を内方にして前記光源体が外面側から挿入可能に貫通されると共に、前記光源体を掛止可能に形成された挿入穴と、前記締結部材が係合可能に穿設され、前記挿入穴に挿入された前記光源体を押止させるように配設された前記留め部材が前記締結部材を係合させて取り付けられる取付穴とを備えたことを特徴とする。
請求項３にかかる発明は、請求項２において、前記ガイド部は、前記取付穴の深さ方向の中心線上に形成されていることを特徴とする。
請求項４にかかる発明は、請求項１乃至３の何れか１項において、前記ガイド部は、切り欠き形成されていることを特徴とする。
請求項５にかかる発明は、請求項１乃至４の何れか１項において、前記工具は、前記締結部材に合わせて打動可能または回動可能に構成されると共に、打動または回動する稼動部と、その稼動部を保持する固定部とを備え、前記ガイド部は、前記稼動部が遊挿可能な所要の大きさで形成されていることを特徴とする。
請求項６にかかる発明は、請求項１乃至４の何れか１項において、前記工具は、前記締結部材に合わせて打動可能または回動可能に構成されると共に、打動または回動する稼動部と、その稼動部を保持する固定部とを備え、前記ガイド部は、前記固定部が遊挿可能な所要の大きさで形成されていることを特徴とする。
請求項７にかかる発明は、請求項１乃至４の何れか１項において、前記工具は、前記締結部材に合わせて打動可能または回動可能に構成されると共に、打動または回動する稼動部と、その稼動部を保持する固定部とを備え、前記ガイド部は、前記稼動部が摺接可能な所要の大きさで形成されていることを特徴とする。
請求項８にかかる発明は、請求項１乃至４の何れか１項において、前記工具は、前記締結部材に合わせて打動可能または回動可能に構成されると共に、打動または回動する稼動部と、その稼動部を保持する固定部とを備え、前記ガイド部は、前記固定部が当接可能な所要の大きさで形成されていることを特徴とする。
請求項９にかかる発明は、請求項７または８において、前記ガイド部は、前記工具の方向性が定まる程度の厚みで形成されていることを特徴とする。
請求項１０にかかる発明は、請求項１乃至９の何れか１項に記載の光走査装置用ハウジングと、前記光源部と、前記締結部材とを備えた光走査装置を特徴とする。
請求項１１にかかる発明は、請求項１０に記載の光走査装置と、該光走査装置を用いて静電潜像が形成される感光体とを備えた画像形成装置を特徴とする。
【発明の効果】
【０００９】
本発明によれば、先端面から複数のレーザ光が射出可能な光源部を持着する内側壁の外方に、所要の間隔をおいて外側壁を設け、その外側壁に、光源部を内側壁に持着する工具をガイドするガイド部を形成して、そのガイド部を通した工具によって締結部材に外力を付与して光源部を内側壁に持着するから、工具が傾くことなく、作業者の熟練度や作業者の不注意を起因とした光源部の回転方向への位置ずれが抑制でき、作業性を向上することができる。
【図面の簡単な説明】
【００１０】
【図１】本実施の形態にかかる光走査装置の斜視図である。
【図２】平面図である。
【図３】要部の斜視図（外側）である。
【図４】図３のＸ−Ｘ線に沿える縦断面図である。
【図５】要部の分解斜視図である。
【図６】要部の斜視図（内側）である。
【図７】ビームピッチ（Ｙ軸方向におけるレーザ光同士間距離）調整を示した光源体の正面図である。
【図８】ビームピッチ調整時における要部の斜視図（外側）である。
【図９】他の態様の第２の切欠部の正面図その1である。
【図１０】他の態様の第２の切欠部の正面図その２である。
【発明を実施するための形態】
【００１１】
本発明にかかる光走査装置のハウジングを備えた光走査装置の実施の形態を説明する。
本実施の形態にかかる光走査装置は、ブラック、イエロー、マゼンタ、シアンの４色でフルカラー画像を出力させる複写機、ファクシミリ、プリンタ等の、電子写真方式の画像形成装置（図示せず）に組み込まれるのに好適なものが例示されており、光走査装置用ハウジングと、光源部と、光学ユニット６と、光偏向器７と、走査レンズとを備えて構成される。
【００１２】
光走査装置用ハウジングは、コアハウジング１と、サブハウジング２とで構成される。
【００１３】
コアハウジング１は、図１及び図２に示すように、底壁と、その底壁の周縁から立設された内側壁とを備えて、平面視矩形状の空間部１ａの一方側に平面視３つの折れ線（内側壁で形成）による扇状の空間部１ｂが画設された容器状に形成されている。平面視矩形状部分の長手方向の両内側壁には、後述する走査レンズを介してのレーザ光を外方に射出させる矩形状の開口部１ｃが設けられている。また、平面視扇状部分の真ん中の折れ線を形成する内側壁を挟んで両側の折れ線を形成する夫々の内側壁（以下「第１の内側壁１ｄ、第２の内側壁１ｅ」と呼称する）には、図４及び図５に示すように、所要径の貫通穴部１ｇと所要径の座繰り穴部１ｈからなる挿入穴１ｆと、取付穴としてのネジ穴１ｋとが設けられている。この挿入穴１ｆとネジ穴１ｋの配設位置は後述する。
【００１４】
さらに、このコアハウジング１は、図３〜図５に示すように、第１の内側壁１ｄと第２の内側壁１ｅの夫々と、その第１の内側壁１ｄと第２の内側壁１ｅの領域と略同じ領域となるように形成された一対の矩形状の外側壁１ｍ、１ｎとが、高さ方向中間部同士が水平状の連絡壁１ｐ、１ｑで接続されて、第１の内側壁１ｄまわりと第２の内側壁１ｅまわりとが、夫々、側面視Ｈ字状に形成されている。
【００１５】
そして、連絡壁１ｐ、１ｑを挟んで、第１の内側壁１ｄと第２の内側壁１ｅの夫々の上側中央部と下側中央部に挿入穴１ｆが設けられ、その挿入穴１ｆを挟んで両側近傍に、取付穴としてのネジ穴１ｋが設けられている。
一対の外側壁１ｍ、１ｎ夫々には、挿入穴１ｆの深さ方向の中心線上を中心とした半円状の底部が形成されるように外側壁１ｍ、１ｎの上縁と下縁の夫々から切欠された略Ｕ字状の第１の切欠部１ｒと、ネジ穴１ｋの深さ方向の中心線上を中心とした半円状の底部１ｓが形成されるように外側壁１ｍ、１ｎの上縁と下縁の夫々から切欠されたガイド部としての略Ｕ字状の第２の切欠部１ｕとが形成されている。
【００１６】
上述した第１の切欠部１ｒは、後述する円柱状の調整冶具１０が遊挿可能な大きさで形成されており、第２の切欠部１ｕは、後述する締結部材としてのビス５を捩じ込む電動ドライバ（工具）のビットＷ（稼動部）が僅かに摺接する程度の大きさで形成されている。さらに、この第２の切欠部１ｕは、ビットＷを第２の切欠部１ｕに挿入した際、ビットＷの横方向の移動を制限させると共にビットＷ先端がビス５の頭部に位置するようになっている。また、外側壁１ｍ、１ｎの厚さは、作業者の感触で、ビットＷの方向性が定まる程度の厚みで形成されている。なお、第２の切欠部１ｕの周縁にリブ（図示せず）を設けて、第２の切欠部１ｕまわりのみ、ビットＷの方向性が定まる程度の厚みで形成しても良い。また、このコアハウジング１は、モールド材で構成されているが、アルミダイキャストによる構成でも良く、特に限定されない。
【００１７】
サブハウジング２は、図１に示すように、一対の帯板状の側板２ａ、２ｂが所要の間隔をおいて対向配置されるように、４つの連結部材２ｃで側板２ａ、２ｂ同士が連結されて、平面視略矩形状に枠組み形成され、その中央部にコアハウジング１が支持されている。４つの連結部材２ｃは、コアハウジング１を挟んで、両側に２つずつ所要の間隔をおいて配設されており、その４つの連結部材２ｃには、コアハウジング１に形成された開口部１ｃからのレーザ光を受け、ブラック、イエロー、マゼンタ、シアンの各色のトナー像を形成する４つの感光ドラム（図示せず）に向けて射出する光学部材（図示せず）が取り付けられている。
なお、本実施の形態にかかる光走査装置用ハウジングは、コアハウジング１とサブハウジング２とで別部材で構成されているが、単体で構成しても良い。
【００１８】
光源部は、光源体３と、留め部材４とを備える。
光源体３は、図４及び図５に示すように、座繰り穴部１ｈの深さより僅かに厚いフランジ３ａが基端に設けられた段付きの円柱状に形成され、フランジ３ａ側である基端面から外部接続端子３ｂ（オス）が突設される共に、先端面から２本のレーザ光が射出可能に構成されたマルチチャンネルレーザダイオードからなる。２本のレーザ光が射出される２つの発光部３ｃは、図６に示すように、先端面の円中心を挟んで対向配置されている。このように構成された光源体３は、座繰り穴部１ｈにフランジ３ａが着座するように挿入穴１ｆに挿入されている（図４）。
なお、本実施の形態では、２本のレーザ光が射出される光源体３を例示しているが、３本以上のレーザ光を射出する光源体３でも良い。
【００１９】
留め部材４は、図３〜図５に示すように、光源体３のフランジ３ａより小径で且つ複数の外部接続端子３ｂが一度に挿通可能な所要の径からなる第１の穴４ａと、その第１の穴４ａを挟んでネジ穴１ｋに対応する位置にビス５を遊挿させる第２の穴４ｂとが穿設された帯板状に形成されている。この留め部材４は、薄板のバネ鋼で弾性変形可能になっている。なお、この留め部材４の材質は特に限定されないが、絶縁性を有した材料や絶縁処理がなされていることが好ましいが、導電性を持つ材料で形成されている場合、第１の穴４ａは光源体3の外部接続端子3bを挿入した際に接触しない大きさで形成されている。
【００２０】
このように構成された留め部材４は、光源体３の外部接続端子３ｂを第１の穴４ａに挿通させ且つネジ穴１ｋに第２の穴４ｂを重畳させて、第１の内側壁１ｄと第２の内側壁１ｅの夫々に座繰り穴部１ｈに挿入された光源体３を覆うように配設されると共に、締結部材としてのビス５がネジ穴１ｋに捩じ込まれることで、座繰り穴部１ｈから僅かに突出したフランジ３ａ側の基端面を押圧して光源体３を押止させている。なお、４つの光源体３は、夫々のレーザ光が後述する光偏向器７に向かって射出されるように取り付けられる。
【００２１】
このようにして第１の内側壁１ｄと第２の内側壁１ｅに取り付けられた光源体３は、図７に示すように、周方向に回動することで、座標軸の一軸方向（感光体の軸方向である副走査方向（Ｙ軸方向））におけるビームピッチが所望の距離となるように調整してから固定（本付け）するようになっている。その一連の作業は後述する。
【００２２】
光学ユニット６は、図１及び図２に示すように、入射するレーザ光の発散角を所望の発散角に整形するカップリングレンズ、レーザ光の断面形状を所望の形状に整形するアパーチャ、レーザ光を後述する光偏向器７の偏向面に集光するシリンドリカルレンズなど、複数の光学素子（図示せず）を含んで構成され、コアハウジング１の扇状の空間部１ｂ内で光源体３近傍のレーザ光経路上に配設されている。そして、夫々の光源体３から射出された夫々のレーザ光は、この光学ユニット６により所望の状態に整形された状態で後述する光偏向器７へ射出される。
【００２３】
光偏向器７は、図１及び図２に示すように、側面にレーザ光の偏向面が形成された正４角柱状の部材が相互に４５度位相がずれた状態で上下方向に隣接して配置され、コアハウジング１のほぼ中央に不図示の回転機構により回転可能に配設されている。このように構成された光偏向器７は、夫々の光学ユニット６を介して、第１の内側壁１ｄ側の２つ光源体３から射出されたレーザ光を受けて後述する第１の走査レンズ８へ、第２の内側壁１ｅ側の２つ光源体３から射出されたレーザ光を受けて後述する第２の走査レンズ９へ、夫々の走査するように射出される。
【００２４】
走査レンズは、図１及び図２に示すように、コアハウジング１の両側壁に形成された矩形状の開口部１ｃに沿うように配設された第１の走査レンズ８と第２の走査レンズ９とで構成され、夫々の走査レンズは、レーザ光の入射角に比例した像高をもち、光偏向器７により、一定の角速度で偏向されるレーザ光の像面を図２において横方向に等速移動させるようになっている。この第１の走査レンズ８と第２の走査レンズ９を通過したレーザ光は、上述した開口部１ｃから外方に向かって射出される。
【００２５】
このように構成された本実施の形態にかかる光走査装置は、ブラック、イエロー、マゼンタ、シアンの４色毎に４つの感光ドラム（図示せず）を備えた複写機、ファクシミリ、プリンタ等の、電子写真方式の画像形成装置（図示せず）に組み込まれ、所定の画像データに基づいて夫々の光源体３からレーザ光が射出し、そのレーザ光を感光体に向かって副走査方向に走査するように射出して、感光体上に静電潜像を形成するようになっている。
【００２６】
ここで、光源体３の取付・調整作業を行う際に用いられる調整冶具１０を説明する。
調整冶具１０は、図４及び図８に示すように、先端面の中央にボス１０ａが突設され第１の穴４ａに遊挿可能な所要の径および所要長さで円柱状に形成されると共に、ボス１０ａの周囲に光源体３の外部接続端子３ｂと挿脱可能な接続端子部１０ｂ（メス）が形成されている。この接続端子部１０ｂ（メス）は、後端面から延出したコードを介して外部機器（図示せず）と接続されるようになっており、外部接続端子（オス）に接続端子部１０ｂ（メス）を挿し込むことで、光源体３に電力が供給されるようになっている。
【００２７】
次に、本実施の形態にかかる光走査装置における光源体３の取付・調整作業を説明する。
先ず、座繰り穴部１ｈにフランジ３ａが着座するように光源体３を挿入穴１ｆに挿入する。
次いで、光源体３の外部接続端子３ｂを第１の穴４ａに挿通し、且つ、ネジ穴１ｋに第２の穴４ｂを重畳して、第１の内側壁１ｄと第２の内側壁１ｅの夫々に座繰り穴部１ｈに挿入した光源体３を覆うように留め部材４を保持し、その状態で、締結部材としてのビス５をネジ穴１ｋに所要量捩じ込んで、光源体３を仮止めする。
このとき、ビス５を捩じ込む電動ドライバ（工具）のビットＷ（稼動部）を、第２の切欠部１ｕ（ガイド部）に挿入し、その第２の切欠部１ｕの半円状の底部１ｓに軽く載せるようにし、ビットＷ先端がビス５の頭部に位置するようにビットＷの向きを固定してから、ゆっくりと捩じ込んでいく（図４、図８）。
【００２８】
このようにして仮止めが完了したら、第１の切欠部１ｒを介して、ボス１０ａが光源体３の基端面に当接するまで接続端子部１０ｂ（メス）を外部接続端子３ｂに挿し込んで、光源体３に電力が供給されるように、調整冶具１０を光源体３に接続する。
調整冶具１０を光源体３に接続したら、光源体３に電力を供給して光源体３からレーザ光の射出を開始する。そして、ＣＣＤカメラや、ポジションセンサなどの計測機器を用いて、ビームピッチを計測する。なお、光源体３の角度調整は、光源体３そのものの位置をオートコリメータやレーザ変位計やダイヤルゲージなどの計測機器を用いて計測し、所望の手段で微調整を行う。
【００２９】
計測機器による計測結果に基づいて、副走査方向におけるビームピッチが所望の距離となるように、調整冶具１０を介して、光源体３を回動して調整する。例えば、図７に示すように、光源体３をα度だけ回動してビームピッチｐ１からビームピッチｐ２にする。このとき、ビス５締め込み時（本付け時）に光源体３に位置ずれが生じないように、調整冶具１０を光源体３に押し付けるように回動する。
【００３０】
所望したビームピッチになったら、調整冶具１０を光源体３に押し当てた状態で、ビス５を捩じ込んで本止めする。このときも、上述した仮止めのように、ビス５を捩じ込む電動ドライバ（工具）のビットＷ（稼動部）を、第２の切欠部１ｕ（ガイド部）の半円状の底部１ｓに軽く載せるようにし、ビットＷ先端がビス５の頭部に位置するようにビットＷの向きを固定してから、ゆっくりと捩じ込む（図４、図８）。
この一連の作業を、第１の内側壁１ｄと第２の内側壁１ｅに取り付けられた、計４つの光源体３に対して行って、光源体３の取付・調整作業を終了する。
【００３１】
上述した光源体３の取付・調整作業は、第１の穴４ａに遊挿可能な調整治具１０を用いた例であるが、ボス１０ａを設けずに先端面が平らで、第１の穴４ａよりも大きな径で形成された調整治具１０を用いても良いもので、その場合における、光源体３の取付・調整作業は以下の通りとなる。なお、この光源体３の取付・調整作業にかかる図示はしないが、上述した同一符号を付して説明する。
【００３２】
先ず、調整治具１０の先端面と光源体３の基端面とで、留め部材４を挟持するように、接続端子部１０ｂ（メス）に外部接続端子３ｂを挿し込む。このとき、留め部材４に対しての発光部３ｃ向きを合わせた状態で行う。次いで、調整治具１０の先端面と光源体３の基端面とで留め部材４を挟持した状態で、座繰り穴部１ｈにフランジ３ａが着座するように光源体３を挿入穴１ｆに挿入する。このときも、第１の内側壁１ｄ（及び第２の内側壁１ｅ）に対しての発光部３ｃ向きを合わせた状態で行う。
【００３３】
光源体３を挿入穴１ｆに挿入したら、光源体３に電力を供給して光源体３からレーザ光の射出を開始する。そして、ＣＣＤカメラや、ポジションセンサなどの計測機器を用いて、ビームピッチを計測する。なお、光源体３の角度調整は、光源体３そのものの位置をオートコリメータやレーザ変位計やダイヤルゲージなどの計測機器を用いて計測し、所望の手段で微調整を行う。なお、この微調整時の移動距離は、ビス５と第２の穴４ｂとの間隙よりも短い。
【００３４】
所望したビームピッチになったら、ビス５を捩じ込んで、留め部材４を第１の内側壁１ｄ（及び第２の内側壁１ｅ）に螺着し光源体３を止着する。このとき、ビス５を捩じ込む電動ドライバ（工具）のビットＷ（稼動部）を、第２の切欠部１ｕ（ガイド部）の半円状の底部１ｓに軽く載せるようにし、ビットＷ先端がビス５の頭部に位置するようにビットＷの向きを固定してから、ゆっくりと捩じ込んで、光源体３の取付・調整作業を終了する。このように、第１の穴４ａよりも大きな径で形成された調整治具１０を用いた場合は、ビス５を用いての仮止め手順を減らすことができる。
【００３５】
このように本実施の形態にかかる光走査装置は、先端面から複数のレーザ光が射出可能な光源部を持着する第１の内側壁１ｄ及び第２の内側壁１ｅの外方に、夫々連絡壁１ｐ、１ｑを介して外側壁１ｍ、１ｎを夫々設け、その外側壁１ｍ、１ｎに、光源部を第１の内側壁１ｄ及び第２の内側壁１ｅに持着する電動ドライバ（工具）のビットＷ（稼動部）の移動を制限する略Ｕ字状の第２の切欠部１ｕ（ガイド部）を形成して、その略Ｕ字状の第２の切欠部１ｕを通したビットＷ（稼動部）によって締結部材を捩じ込んで光源部を内側壁に持着するから、工具が傾くことなく、作業者の熟練度や作業者の不注意を起因とした光源部の回転方向への位置ずれが抑制でき、作業性を向上することができる。
【００３６】
以上、本実施の形態にかかる光走査装置を説明したが、上述した実施の形態は、本発明の好適な実施の形態の一例を示すものであり、本発明はそれに限定されるものではなく、その要旨を逸脱しない範囲内において、種々変形実施が可能である。
【００３７】
例えば、本実施の形態では、ガイド部としての第２の切欠部１ｕを、ビス５を捩じ込む電動ドライバ（工具）のビットＷ（稼動部）が僅かに摺接する程度の大きさで形成し、そのビットＷを、第２の切欠部１ｕの半円状の底部１ｓに軽く載せて捩じ込み作業可能なものを例示したが、ビットＷ（稼動部）やそのビットＷを掴持させるチャック以外の電動ドライバ（工具）の固定部（回転しない部分）を当接させて支持するようにガイド部を形成しても良い。なお、工具として電動ドライバを例示したが、通常のドライバでも良いもので、特に限定されない。
【００３８】
また、上述したような工具とガイド部が当接したり摺接したりしなくても良い。すなわち、締結部材に偏荷重が負荷されるような工具の傾きが生じない程度の間隙が、工具とガイド部との間に形成されていれば良いもので、ガイド部を、工具の稼動部または工具の固定部が遊挿可能な所要の大きさ（上述した間隙が形成される大きさ）で形成されていれば良い。
【００３９】
さらに本実施の形態のガイド部は、半円状の底部１ｓとなるように略Ｕ字状に切欠した溝状のものを例示したが、図９に示すように、底部をＶ字状に切欠した第２の切欠部１ｗや、図１０に示すように、底部を水平状に切欠した第２の切欠部１ｘでも良く、特に限定されない、さらに、これら溝状のガイド部に換えて穴状のガイド部としても良い。いずれの場合も、上述したように、工具とガイド部とが、当接（摺接）、非当接（非摺接）を問わない。
【００４０】
また、本実施の形態では、締結部材としてビス５を例示したが、ネジに換えてピン（スプリングピン、テーパーピン、平行ピン等）にしても良い。この場合、取付穴としてのネジ穴１ｋに換えて平行またはテーパー穴になる。その場合における工具は、ポンチや電動ハンマなど打動可能なものとなる。
【００４１】
また本実施の形態のコアハウジング１は、第１の内側壁１ｄと第２の内側壁１ｅの夫々と、一対の矩形状の外側壁１ｍ、１ｎとが、高さ方向中間部同士が水平状の連絡壁１ｐ、１ｑで接続されて、第１の内側壁１ｄまわりと第２の内側壁１ｅまわりとが、夫々、側面視Ｈ字状に形成されたものを例示したが、この連絡壁１ｐ、１ｑの配設位置は特に限定されず、例えば、第１の内側壁１ｄと第２の内側壁１ｅの夫々と、一対の矩形状の外側壁１ｍ、１ｎとの上縁同士や下縁同士、あるいは側縁同士を接続させるように配設しても良い。
【００４２】
また本実施の形態は、フルカラーの画像形成装置に用いられる光走査装置を例示したが、単色の画像形成装置に用いられる光走査装置でも適用できる。
【符号の説明】
【００４３】
１‥コアハウジング  １ａ‥平面視矩形状の空間部  １ｂ‥扇状の空間部  １ｃ‥開口部  １ｄ‥第１の内側壁  １ｅ‥第２の内側壁  １ｆ‥挿入穴  １ｇ‥貫通穴部  １ｈ‥座繰り穴部  １ｋ‥ネジ穴  １ｍ、１ｎ‥外側壁  １ｐ、１ｑ‥連絡壁  １ｒ‥第１の切欠部  １ｓ‥半円状の底部  １ｕ‥第２の切欠部  １ｗ‥第２の切欠部  １ｘ‥第２の切欠部  ２‥サブハウジング  ２ａ、２ｂ‥側板  ２ｃ‥連結部材  ３‥光源体  ３ａ‥フランジ  ３ｂ‥外部接続端子  ３ｃ‥発光部  ４‥留め部材  ４ａ‥第１の穴  ４ｂ‥第２の穴  ５‥ビス  ６‥光学ユニット  ７‥光偏向器  ８‥第１の走査レンズ  ９‥第２の走査レンズ  １０‥調整冶具  １０ａ‥ボス  １０ｂ‥接続端子部  Ｗ‥ビット
【先行技術文献】
【特許文献】
【００４４】
【特許文献１】特開２０００−１６２５３６号公報
【特許文献２】特開２００１−２２８４１８号公報
【図１】
2011053450.tif 000003
【図２】
2011053450.tif 000004
【図３】
2011053450.tif 000005
【図４】
2011053450.tif 000006
【図５】
2011053450.tif 000007
【図６】
2011053450.tif 000008
【図７】
2011053450.tif 000009
【図８】
2011053450.tif 000010
【図９】
2011053450.tif 000011
【図１０】
2011053450.tif 000012